(57)【要約】      （修正有）【課題】生物排泄物を含む汚水に高分子凝集剤を添加して、脱水且つ吸水し易い沈降汚泥物として生成分離する浄化処理方法を提供するものである。【解決手段】本発明の生物排泄物を含む汚水の浄化処理方法は、生物排泄物を含む汚水に結合性の強いカチオン系高分子凝集剤を添加し、短時間に大きい重合物フロックとして凝集且つ成長させ、沈降汚泥物として生成分離するに従って、フライアッシュを投入撹拌し、団塊化している該沈降汚泥物を団粒化すると共に、浮遊する微細なフロックも柔らかく結び付け、脱水し易い沈降汚泥物として生成分離することを特徴とする。【選択図】  図１
2004188350.tif 000002
【特許請求の範囲】
【請求項１】
生物排泄物等を含む汚水に高分子凝集剤を添加し沈降汚泥物として生成分離する過程において、製紙会社の製造工程で排出される成分から得られるフライアッシュを投入撹拌し、団塊化する過程にある沈降汚泥物を団粒化すると共に浮遊する微細なフロックも柔らかく結び付け、沈降汚泥物として生成分離することを特徴とする生物排泄物の浄化処理方法。
【請求項２】
高分子凝集剤がカチオン系高分子凝集剤である請求項１記載の生物排泄物の浄化処理方法。
【請求項３】
高分子凝集剤がメタクリル酸エステル４級塩重合物である請求項１記載の生物排泄物の浄化処理方法。
【発明の詳細な説明】
【０００１】
【発明の属する技術分野】
本発明は、生物排泄物を含む汚水の浄化処理方法に関する。
【０００２】
【従来の技術】
従来、生物排泄物等を含む汚水の浄化処理については、高分子凝集剤を該汚水に添加し、生成するフロックを遠心分離して脱水ケーキの団塊とし、埋め立て処理を行う方法が知られている。一旦、団塊状態になると該脱水ケーキは頑強であり、水分を吸収しても再び元の柔らかいフロック状態に戻らず、自然に還元できないという問題が生じる。
また、該高分子凝集剤だけでは曝気槽中を浮遊して残っている微細なフロックを沈降させる効力が少なく、濾水の透明度を完璧に期すことができず、沈降汚泥物と濾水を完全分離できないという問題が生じる。
更に、生物排泄物特有の臭気による外気の汚染があり、自然へのリサイクルができないという問題が生じる。
【０００３】
【発明が解決しようとする課題】
そこで本発明は、生物排泄物を含む汚水に高分子凝集剤を添加し、沈降汚泥物として生成分離するに従って、フライアッシュを投入し、団塊化が進行している沈降汚泥物フロックの間隙に入り込み、団粒化へ該フロックを変換すると共に、浮遊する微細なフロックも柔らかく結び付け、脱水且つ吸水し易い沈降汚泥物として生成分離する浄化処理方法を提供するものである。
【０００４】
【課題を解決するための手段】
上記目的を達成するために、請求項１記載の本発明は、生物排泄物を含む汚水にカチオン系高分子凝集剤を添加し沈降汚泥物として生成分離する過程において、製紙会社の製造工程で排出される成分から得られるフライアッシュを投入撹拌し、団塊化する過程にある沈降汚泥物を団粒化すると共に浮遊する微細なフロックも柔らかく結び付け、沈降汚泥物として生成分離することを特徴とする。
【０００５】
請求項２記載の発明は、高分子凝集剤がカチオン系高分子凝集剤であることを特徴とする。
【０００６】
請求項３記載の発明は、高分子凝集剤がメタクリル酸エステル４級塩重合物であることを特徴とする。
【０００７】
【実施例】
この発明の実施例を、図１および図２に基づいて説明する。
養豚場１から排出される生物排泄物を含む汚水１１は貯留槽２にて保存された後、曝気槽３に送られ曝気する。該汚水を撹拌羽根４で撹拌しながら、汚水量に応じた割合の高分子凝集剤５を添加し、該凝集剤の主鎖に点在する反応基と反応して、大きな重合物フロックに成長すると共に比重が大きい重合物フロックが生成分離される。
【０００８】
該高分子凝集剤５としては、メタクリル酸エステル４級塩重合物など第４級アンモニウム塩型のカチオン系高分子凝集剤を使用する。該生物排泄物を含む汚水１１はＢＯＤ、ＣＯＤ、油分、懸濁物質などフロックの核になる物質が多くあるので、適量の高分子凝集剤と出会って親油基部分でフロックとなり、充分に大きな重合物フロックが生成される。また親水基部分は汚水部分とイオン結合し、汚水と分離されながら沈降する。而して該フロックは、大きく成長すると共に比重が大きくなり、曝気槽３の底部に向かって下降して、沈降汚泥物として沈む。
【０００９】
次に、該重合物フロックを撹拌羽根４で撹拌しながら、フロック量に応じた割合のフライアッシュ６を添加する。重合物フロックが生成分離するに従って、フライアッシュ６が使用されるので、団塊状態のフロックの間隙に該フライアッシュが入り、団粒状態に変換される。
また曝気槽３の底部に沈降しないで曝気槽中を浮遊している微細なＢＯＤ、ＣＯＤ、油分や懸濁物質なども柔らかく結び付け、団粒状態の沈降汚泥物として生成分離し、臭気も吸着して外観的には清澄な、懸濁しない汚水に変換する。
【００１０】
フライアッシュとは、製紙会社の製造工程で排出される泥状パルプ残分であるスラッジに、焼かれた砂を掛けて灰とし、更に重油で完全燃焼して生成され、灰と一体となったものである。その主成分がニ酸化ケイ素、酸化アルミニウムや酸化カルシウムなどの金属酸化物であるので比重が大きい。また粉末度比表面積が大きいので、灰としての多孔質性も保持できている。
【００１１】
団塊状態から団粒状態に変換された沈降汚泥物は、濾過機７で濾過される。濾過されるに従って、該沈降汚泥物は脱水ケーキとしてケーキ収集器８に収集され、袋詰１２される。袋詰された該脱水ケーキは植生土として自然へリサイクルされる。濾水は透明な液体として濾水受け皿９に収集される。
【００１２】
【試験例】
原水は豚尿とし、曝気後の豚尿と、該高分子凝集剤およびフライアッシュを添加した後の上澄み水を採取し、表１に示すように、２つの方法での処理水の透明度について比較検討を行った。
【００１３】
【表１】
2004188350.tif 000003
【００１４】
上記の透明度比較のように、除去されないフロックなどが処理水▲１▼に浮遊しており、これが透明度を悪くしていた。これに対して、本発明の方法で得られた処理水▲２▼は、浮遊フロックがほとんど観察されず、無色で、透明度も３０度以上確保できている。
因みに、フライアッシュ添加後の沈降浄化時間は５分であり、沈降物濾過時間は濾過試験採取量２００ｃｃの場合１/２分で、従来の１/１０以下あった。
【００１５】
【発明の効果】
本発明は、生物排泄物を含む汚水に、４級塩重合物からなるカチオン系高分子凝集剤を使用しているので、短時間に大きく成長すると共に比重が大きい重合物フロックが生成分離できる。更に、該重合物フロックが生成分離するに従って、フライアッシュが使用されるので、団塊状態のフロックの間隙に該フライアッシュが入り、団粒状態に変換される。また曝気槽中を浮遊している微細な懸濁物質なども柔らかく結び付ける。該重合物フロックは団粒状態で脱水されるので、脱水後のケーキは頑強固化が起らない。
該脱水ケーキは無臭で通気性があり、崩壊し易いので、親水性が高く、且つ植生土としてリサイクル利用できる。
【図面の簡単な説明】
【図1】本発明の１実施例を示す生物排泄物の浄化処理方法のフローチャートである。
【図2】高分子凝集剤およびフライアッシュ添加による生物排泄物リサイクル方法の生成概要図である。
【符号の説明】
１      養豚場
２      貯留槽
３      曝気槽
４      撹拌羽根
５      高分子凝集剤
６      フライアッシュ
７      濾過機
８      ケーキ収集器
９      濾水受け皿
１０    送水ポンプ
１１    生物排泄物を含む汚水
１２    袋詰
【図１】
2004188350.tif 000004
【図２】
2004188350.tif 000005